(57)【要約】【課題】  無駄な電力が消費されること、及び表示部のリモート電源制御により撮影動作が正常に行われなくなってしまう問題を防止できる撮像装置を提供できるようにする。【解決手段】  撮像部１０１と表示部２０１とが分離独立可能に構成された撮像装置であって、回線を介して前記撮像部１０１の電源を立上げたり、あるいは切断したりするリモート電源制御機能を前記表示部２０１が有し、前記撮像部１０１に配設されている電源ボタン１０２がユーザにより操作された際に撮像部の電源を立上げる機能と、前記表示部２０１からのリモート制御により電源を立上げる機能と、前記表示部２０１からのリモート制御により撮像部の電源を切断する機能と、前記撮像部１０１の電源を立上げた状態に応じて前記表示部２０１によるリモート電源切断が行われるのを許容したり禁止したりする電源切断制御機能とを前記撮像部１０１が有する。【選択図】  図４
2006325145.tif 000002
【特許請求の範囲】
【請求項１】
被写体を撮影して画像を生成する撮影手段を備えた撮像装置であり、前記撮像装置で撮影した画像を表示する表示部との間でデータ伝送およびリモート制御を行うことが可能な撮像装置であって、
前記撮像装置の電源ボタンがユーザにより操作された際に撮像装置の電源を立上げる電源直接投入手段と、
前記表示部からのリモート制御により撮像装置の電源を立上げる電源リモート投入手段と、
前記表示部からのリモート制御により撮像装置の電源を切断する電源切断手段と、
前記電源直接投入手段により電源が投入されたか、前記電源リモート投入手段により電源が投入されたかに応じて、前記電源切断手段による電源切断を少なくとも所定期間は禁止する電源切断制御手段とを有することを特徴とする撮像装置。
【請求項２】
前記電源切断制御手段は、前記撮像装置の電源切断を指示するコマンドに基づいて前記撮像装置の電源切断を実行することを特徴とする請求項１に記載の撮像装置。
【請求項３】
前記撮像装置は、前記表示部の電源状態を監視する表示部電源監視手段と、
前記表示部電源監視手段の監視結果に基づいて前記撮像装置の電源を切断する手段とを有することを特徴とする請求項１または２に記載の撮像装置。
【請求項４】
前記電源切断制御手段は、動画撮影の処理を行っている場合は前記電源切断手段による電源切断処理を禁止し、前記動画撮影の処理が終了に応答して、電源切断処理を許容することを特徴とする請求項１〜３の何れか１項に記載の撮像装置。
【請求項５】
前記撮像装置は、前記表示部によるリモート制御の経過時間を監視する経過時間監視手段を有し、
前記電源切断制御手段は、前記電源リモート投入手段により電源が投入された場合は、前記表示部から撮像装置のリモート制御が不能になった時間が一定時間を超えたことが前記経過時間監視手段により監視された場合に、前記撮像装置の電源を切断する制御を行うことを特徴とする請求項１〜４の何れか１項に記載の撮像装置。
【請求項６】
前記撮像装置と前記表示部は有線接続可能に構成され、前記撮像装置と前記表示部とを有線接続した状態で両方の電源の立上げが行われ、その後に前記撮像装置と前記表示部とが分離された場合には、前記電源切断制御手段は、前記表示部の電源が切断されても前記撮像装置の電源が切断されるのを禁止することを特徴とする請求項１〜５の何れか１項に記載の撮像装置。
【請求項７】
前記撮像装置と前記表示部を分離してどちらか一方装置のみを使用した後に、前記撮像装置と前記表示部とを有線接続状態とした場合には、使用していなかった片方の電源を投入する電源投入手段を有することを特徴とする請求項６に記載の撮像装置。
【請求項８】
被写体を撮影して画像を生成する撮影手段を備え、前記撮像手段で撮影した画像を表示する表示部との間でデータ伝送およびリモート制御を行うことが可能な撮像装置の電源制御方法であって、
前記撮像装置の電源ボタンがユーザにより操作された際に撮像装置の電源を立上げる電源直接投入工程と、
前記表示部からのリモート制御により撮像装置の電源を立上げる電源リモート投入工程と、
前記表示部からのリモート制御により撮像装置の電源を切断する電源切断工程と、
前記電源直接投入工程において電源が投入されたか、前記電源リモート投入工程において電源が投入されたかに応じて、前記電源切断工程による電源切断を少なくとも所定期間禁止する電源切断制御工程とを有することを特徴とする撮像装置の電源制御方法。
【請求項９】
被写体を撮影して画像を生成する撮影手段を備え、前記撮像手段で撮影した画像を表示する表示部との間でデータ伝送およびリモート制御を行うことが可能な撮像装置の電源制御方法をコンピュータに実行させるコンピュータプログラムであって、
前記撮像装置の電源ボタンがユーザにより操作された際に撮像装置の電源を立上げる電源直接投入工程と、
前記表示部からのリモート制御により撮像装置の電源を立上げる電源リモート投入工程と、
前記表示部からのリモート制御により撮像装置の電源を切断する電源切断工程と、
前記電源直接投入工程において電源が投入されたか、前記電源リモート投入工程において電源が投入されたかに応じて、前記電源切断工程による電源切断を禁止する電源切断制御工程とを有する撮像装置の電源制御方法をコンピュータに実行させることを特徴とするコンピュータプログラム。
【請求項１０】
前記請求項９に記載のコンピュータプログラムを記録したことを特徴とするコンピュータ読み取り可能な記録媒体。
【発明の詳細な説明】
【技術分野】
【０００１】
本発明は撮像装置及びその電源制御方法に関し、例えば分離した撮像装置と表示部の間で、データの送受信を行うことができる通信カメラの電源を制御するために用いて好適な技術に関する。
【背景技術】
【０００２】
従来、動画や静止画を撮像して記録する装置であるデジタルカメラやビデオカメラの構成は、通常、画像のキャプチャのためのレンズやCCD、信号処理回路などを含む撮像部と、ファインダとして動画像を表示するための表示部と、撮像データを記録するための記録部がすべて一体化された構造となっている。あるいは、撮像部が表示部、記録部と分離できる構成となっているものもあるが、撮像部と表示部、記録部の間は映像信号を伝送するための専用のケーブルで接続されている。
【０００３】
また、記録部のみを分離し、撮像部（あるいは撮像部と表示部）から撮像データを記録部へ無線伝送して記録するような方式（例えば、特開平９−２３８２９６）も提案されている。さらに、表示部のみを分離して、撮像部からファインダ表示画像を赤外線などの無線伝送によって分離した表示部に表示を行うような方式（例えば、特許文献１）などの提案もある。
【０００４】
撮像部と表示部を分離して使用するシステムにおいては、電源を立上げるために表示部、撮像部それぞれに電源スイッチを持ち、セットとして使用する場合にはそれぞれのスイッチを操作して電源を入れる必要があった。あるいは、ネットワーク上の端末からカメラの電源をリモートで制御するような方式（例えば、特許文献２）などの提案もある。
【０００５】
【特許文献１】特開平０８−２０５０１６号公報
【特許文献２】特開平０９−２７１０１９号公報
【発明の開示】
【発明が解決しようとする課題】
【０００６】
しかしながら、撮像部と表示部を分離して使用する場合、表示部からリモートで撮像部の電源のＯＮ／ＯＦＦ制御を行うケースを考えると、例えば遠隔地に固定的に設置された無線通信カメラをコントロールする時には、表示部からリモートで撮像部の電源を立上げた後、表示部の使用を中断（電源ＯＦＦ）しても、撮像部の電源は入ったままになってしまい、電力を無駄に消費してしまう問題があった。また、例えば撮像部を直接操作して撮影動作を行っている時に、表示部からのリモート電源制御操作が行われると、撮影動作が正常に行われなくなってしまうという問題があった。
【０００７】
本発明は上述の問題点にかんがみ、撮像部と表示部とが分離可能に別体に構成され、撮像時のファインダデータおよび撮像部のコントロール信号を無線伝送するよう構成において、無駄な電力の消費するのを防止できるようにするとともに、表示部のリモート電源制御により撮影動作が正常に行われなくなってしまう問題を防止できるようにすることを目的とする。
【課題を解決するための手段】
【０００８】
本発明の撮像装置は、被写体を撮影して画像を生成する撮影手段を備えた撮像装置であり、前記撮像装置で撮影した画像を表示する表示部との間でデータ伝送およびリモート制御を行うことが可能な撮像装置であって、前記撮像装置の電源ボタンがユーザにより操作された際に撮像装置の電源を立上げる電源直接投入手段と、前記表示部からのリモート制御により撮像装置の電源を立上げる電源リモート投入手段と、前記表示部からのリモート制御により撮像装置の電源を切断する電源切断手段と、前記電源直接投入手段により電源が投入されたか、前記電源リモート投入手段により電源が投入されたかに応じて、前記電源切断手段による電源切断を少なくとも所定期間は禁止する電源切断制御手段とを有することを特徴とする。
【０００９】
本発明の撮像装置の電源制御方法は、被写体を撮影して画像を生成する撮影手段を備え、前記撮像手段で撮影した画像を表示する表示部との間でデータ伝送およびリモート制御を行うことが可能な撮像装置の電源制御方法であって、前記撮像装置の電源ボタンがユーザにより操作された際に撮像装置の電源を立上げる電源直接投入工程と、前記表示部からのリモート制御により撮像装置の電源を立上げる電源リモート投入工程と、前記表示部からのリモート制御により撮像装置の電源を切断する電源切断工程と、前記電源直接投入工程において電源が投入されたか、前記電源リモート投入工程において電源が投入されたかに応じて、前記電源切断工程による電源切断を少なくとも所定期間禁止する電源切断制御工程とを有することを特徴とする。
【００１０】
本発明のコンピュータプログラムは、被写体を撮影して画像を生成する撮影手段を備え、前記撮像手段で撮影した画像を表示する表示部ととの間でデータ伝送およびリモート制御を行うことが可能な撮像装置の電源制御方法をコンピュータに実行させるコンピュータプログラムであって、前記撮像装置の電源ボタンがユーザにより操作された際に撮像装置の電源を立上げる電源直接投入工程と、前記表示部からのリモート制御により撮像装置の電源を立上げる電源リモート投入工程と、前記表示部からのリモート制御により撮像装置の電源を切断する電源切断工程と、前記電源直接投入工程において電源が投入されたか、前記電源リモート投入工程において電源が投入されたかに応じて、前記電源切断工程による電源切断を禁止する電源切断制御工程とを有する撮像装置の電源制御方法をコンピュータに実行させることを特徴とする。
【００１１】
本発明の記録媒体は、前記に記載のコンピュータプログラムを記録したことを特徴とする。
【発明の効果】
【００１２】
本発明によれば、電力が無駄に消費されるのを防止することができる。これにより、例えば、三脚などに固定して撮影するなどして撮像装置が手元にない場合も、意識することなく簡単に撮像装置の節電を行うことができる。さらに、撮像装置を手にもって撮影操作を行っている場合でも、リモートで電源を誤って切断されるような誤動作を防止することができる。
【発明を実施するための最良の形態】
【００１３】
（第１の実施の形態）
以下、図面に基づき、本発明の実施の形態を説明する。
本実施の形態の無線通信カメラは、図１に外観を示した撮像部と図２に外観を示した表示部とから構成される。
【００１４】
図１は、撮像部１０１を前方から見た図である。図１で示す撮像部１０１は、筐体１０１ａ、電源ボタン１０２、シャッターボタン１０３、レンズ１０４、光学ファインダ１０５、ストロボ１０６、無線通信用アンテナ１０７が実装されている。電源が投入されていないときには、レンズ１０４は撮像部１０１の筐体１０１ａに格納されている。電源ボタン１０２は押下するごとに電源の投入、切断の両方が行えるようなＯＮ／ＯＦＦ機能を兼ねており、電源が投入されると、撮影が可能となるようにレンズが前方にせり出す。
【００１５】
一方、図２に示した表示部２０１は、筐体２０１ａ、電源ボタン２０２、無線通信用アンテナ２０３、液晶表示装置２０４、シャッターボタン２０５、ズームボタン２０６、操作ボタン２０７、２０８、外部メモリスロット２０９が実装されている。
【００１６】
撮像動作中においては、撮像装置から無線通信によって伝送されてくるファインダデータが液晶表示装置２０４に表示される。また、操作ボタン２０７、２０８の操作により、撮像装置に対する無線によるリモート制御を行うことができる。さらに、シャッターボタン２０５を押下すると、無線通信によって撮像装置にキャプチャ指示が行われ、撮像装置による静止画のキャプチャが実行される。
【００１７】
次に、撮像部１０１、及び表示部２０１の内部構成について図３に示す。
図３（ａ）は撮像部１０１の内部構成を示すブロックである。
図３（ａ）において、撮像部１０１は全体の動作の制御や演算を行うＣＰＵ３０１、プログラムコードやアイコンのようなビットマップデータなどを記録した不揮発性メモリ（ＲＯＭ）３０２、作業内容等を一時保存するランダムアクセスメモリ（ＲＡＭ）３０３、ユーザによる操作を行うためのボタン（ＫＥＹ）３０４、操作画面を表示したり、ファインダ画像や保存した撮影画像などを表示したりするための表示手段３０５、レンズ３０７を通った光を電気信号に変換するための光電変換手段３０６、撮影した静止画データや動画データを圧縮する画像圧縮手段３０８、ファインダ画像や制御データの通信を表示部２０１と行うための無線通信手段３０９、撮影した画像データを保存するための外部メモリ３１０、外部音を音声信号として取り込むためのマイク３１１、時間をカウントするためのタイマー３１２、これらの電気信号を伝達するためのバス３１３により構成されている。
【００１８】
表示手段３０５は、実装体積を小さくするために液晶表示装置であり、光電変換手段３０６はＣＣＤを用いる。また、外部メモリ３１０はＣＦカード（コンパクトフラッシュ（登録商標）カード）を用いている。タイマー３１２は、初期値をセットしてタイマースタートすると定期的にセットした値をカウントダウンし、この値がゼロになった時点でタイムアップとしてＣＰＵ３０１に割り込みがかかる仕組みになっている。このタイマー３１２の使用形態は第２の実施の形態で詳細に説明する。
【００１９】
このような構成において、静止画像を撮影する場合は、まず毎秒３０フレームのフレームレートでＣＣＤ３０６からＶＧＡ（Video Graphics Array）サイズ（６４０×４８０ｄｏｔ）で取り込まれたＲＧＢフレームデータをＣＰＵ３０１によりデジタル現像処理を行い、ＡＥ（Automatic Exposure：自動露出機構）やホワイトバランスなどの補正処理によってＹＵＶデジタル画像データを生成する。ここで、ＹＵＶとは、輝度（Y）信号と赤の色差（U）と青の色差（V）の２つの色度で色を表現する方法である。
【００２０】
次に、生成されたＹＵＶデジタル画像データは、画像圧縮手段３０８においてＭＰＥＧ４フォーマットへの圧縮処理が行われ、このＭＰＧ４ビットストリームデータは無線通信手段３０９を通じて、ファインダ画像データとして表示部２０１へ送信される。同時にＹＵＶデジタルデータはさらにＲＧＢデジタルデータに変換された後表示手段３０５に入力され、ローカルファインダ画像として表示される。
【００２１】
ここで、シャッターボタン１０３の操作、あるいは表示部２０１から無線通信手段３０９を通じてキャプチャ指示を受け取った場合は、ＣＣＤ３０６からの出力サイズを設定されている静止画撮影サイズ（例えばＵＸＧＡ）に切り替えた後、１フレーム分のＲＧＢフレームデータを同様に現像処理を行い、生成されたＵＸＧＡサイズのＹＵＶデジタル画像データを画像圧縮手段３０８によってＪＰＥＧフォーマットへの圧縮処理が行われ、ＪＰＥＧ画像ファイルとして外部メモリ３１０へ保存される。
【００２２】
図３（ｂ）は、表示部２０１の内部構成である。
図３（ｂ）において、表示部２０１は全体の動作の制御や演算を行うＣＰＵ３２１、プログラムコードやアイコンのようなビットマップデータなどを記録した不揮発性メモリ（ＲＯＭ）３２２、作業内容等を一時保存するランダムアクセスメモリ（ＲＡＭ）３２３、ユーザによる操作を行うためのボタン（ＫＥＹ）３２４、操作画面を表示したり、撮像部１０１より無線伝送されるファインダ画像や保存画像を表示したりするための表示手段３２５である。
【００２３】
この表示手段３２５の上をペンで接触することにより、電気信号を生じさせ、ユーザの操作手段として使用できるようにするために、表示手段３２５の表面に貼られたデジタイザ３２６、静止画や動画などのデータを保存するための外部メモリ３２７、静止画および動画を圧縮伸張する画像圧縮伸張手段３２８、画像や制御データの通信を撮像部１０１と行うための無線通信手段３２９、これらの電気信号を伝達するためのバス３３０により構成される。
【００２４】
表示手段３２５は、実装体積を小さくするために液晶表示装置により構成され、外部メモリにはＣＦカード（コンパクトフラッシュ（登録商標）カード）を用いている。また、無線通信手段３０９、３２９としては、撮像部１０１と表示部２０１が互いに通信でき、通信に必要なバンド幅を十分に満たした方式として、本実施の形態ではＩＥＥＥ８０２．１１Ｘを用いている。ここではＩＥＥＥ８０２．１１上で、アドホックモードでのＩＰ通信を行う。
【００２５】
図４は、本実施の形態において、無線通信を用いた撮像部１０１と表示部２０１間でのデータのやり取りを表わす図である。
図４において、４０１は撮像部１０１から表示部２０１へ伝送されるファインダ画像データであり、撮影動作中に撮像部１０１でキャプチャされたＶＧＡサイズ圧縮動画のビットストリームデータをファインダデータとして表示部２０１へ連続的に転送する。このファインダ画像データはデータの遅延をできるだけ少なくするために、通信パケットでエラーが発生しても再送処理は行わない。
【００２６】
４０２は撮像部１０１から表示部２０１へ伝送される保存画像データであり、ここではＪＰＥＧ圧縮された静止画キャプチャデータである。このキャプチャデータは通常は撮像部１０１に装備されている外部メモリ３１０中に保存されるが、表示部２０１から転送要求が行われた場合にはデータ転送が行われる。
【００２７】
このデータについては、即時性は求められないが、データの破壊や喪失が起こってはならないものであるため、通信パケットでエラーが発生した場合には、エラーパケットの再送処理を行うようなプロトコルでデータ転送を行うようにしている。
【００２８】
また、４０３は制御コマンドであり、撮像部１０１と表示部２０１との間で機器制御を行うためのコマンドのやり取りが行われる。機器制御には、例えばズームや絞り、撮影画素数や圧縮率などの撮影条件の設定や、ファインダやキャプチャデータの転送要求など撮影動作中の撮像部１０１の制御などである。この制御コマンド４０３には、表示部２０１からリモートで撮像部１０１の電源のＯＮ／ＯＦＦを行うようなコマンドも含まれている。これらのファインダ画像データ４０１、保存画像データ４０２、制御信号４０３はそれぞれ同時に、かつ独立して非同期に転送される。
【００２９】
図５に、表示部２０１から撮像部１０１の電源のＯＮ／ＯＦＦをリモート制御する場合の無線通信の処理シーケンスの一例を示す。ここで、撮像部１０１の電源ＯＮ状態とは、すべてのデバイスがアクティブであり撮影が可能な状態を指す。また、電源ＯＦＦ状態とは、通信コマンドのみ受け取れそれ以外のデバイスはすべてスリープ状態、つまり電力消費を必要最小限にした無線待ち受け状態を指している。
【００３０】
図５において、５０１は第１の処理であり、表示部２０１から撮像部１０１の電源投入をリモートで行うシーケンス処理、５０２は第２の処理であり、撮影処理を行う場合のシーケンス処理、５０３は第３の処理であり、表示部２０１から撮像部１０１の電源切断をリモートで行うシーケンス処理を表わしている。
【００３１】
まず、初期状態として、撮像部１０１はＯＦＦ（無線待ち受け）状態、表示部２０１はＯＮ（アクティブ）状態である。ここで、ポイントＰ５０４では、表示部２０１より撮像部１０１に対して電源投入を指示するコマンドを転送する。コマンドを受け取った撮像部１０１はＯＮ（アクティブ）状態に遷移し、コマンドを受け取ったことの確認のためにポイントＰ５０５においてＯＫを示すコマンドを表示部２０１に返す。表示部２０１はＯＫコマンドを受けて第２の処理である撮影処理へ遷移する。
【００３２】
第２の処理５０２では、撮像部１０１から表示部２０１へのファインダ画像データ、保存画像の送信、表示部２０１から撮像部１０１への制御コマンドの送信等が行われる。
次に、第３の処理５０３では、撮像部１０１の電源をＯＦＦする場合は、まずポイントＰ５０６において、表示部２０１より撮像部１０１に対して、電源切断のための確認を行うコマンドを転送する。このコマンドを受け取った撮像部１０１はこのコマンドを受け取ったことの確認のためにポイントＰ５０７において「ＯＫ」を示すコマンドを表示部２０１に返す。
【００３３】
このコマンドを受け取った表示部２０１は、撮像部１０１がリモートでの電源切断が行える状態にあると判断して、ポイントＰ５０８において電源切断を指示するコマンドを転送する。このコマンドを受けて、撮像部１０１は自分自身で電源切断を行い、ＯＦＦ（無線待ち受け）状態へ遷移する。
【００３４】
以下、第１の実施の形態に示す撮像部１０１と、表示部２０１とによる静止画、動画撮影処理の詳細を説明する。図６及び図７は撮像部１０１における処理を示し、図８は表示部２０１における処理を示している。
【００３５】
図６は、撮像部１０１における動画、静止画撮影動作全体を表わす処理の詳細のフローチャートである。
図６において、まずステップＳ６０１において、撮像部１０１は図５で記述した無線待ち受け状態に設定される。この状態では装置全体の電源はＯＦＦしているが表示部２０１からの無線通信によるコマンドは受け取れる状態である。
【００３６】
ここで、ステップＳ６０２において、撮像部１０１に付属の電源ボタン１０２が押下されたかどうかの判断を行い、電源ボタン押下の場合には、ステップＳ６０３において、撮像部１０１の電源立上げ処理が実行され通常動作が可能となる。さらにステップＳ６０４において、撮像部１０１の動作モードとして、付属の電源ボタンによって電源立上げがなされたことを示す「セルフ立上げモード」に設定される。
【００３７】
それからステップＳ６０８において、動画、静止画撮影処理を含むカメラ処理へ進む。カメラ処理の詳細については図７で説明する。このカメラ処理Ｓ６０８が終了、つまり撮像部１０１の電源がＯＦＦされた場合には、再びＳ６０１の無線待ち受け状態に戻る。
【００３８】
次に、ステップＳ６０２において、撮像部１０１に付属の電源ボタンが押下されなかった場合には、ステップＳ６０５において、リモート制御によって電源ＯＮがなされたかどうかの判断を行い、リモート制御でのＯＮでない場合には、無線待ち受け状態を継続する。また、ステップＳ６０５の判断の結果、リモート制御による電源ＯＮの場合には、ステップＳ６０６に進み、ステップＳ６０３の処理と同様に撮像部１０１の電源立上げ処理が実行され、通常動作が可能となる。このリモート制御による電源ＯＮ処理は、図５における第１の処理５０１で表わしたシーケンス処理が実行されるものである。
【００３９】
次に、ステップＳ６０７に進み、撮像部１０１の動作モードとして、表示部２０１からのリモート制御よって電源立上げがなされたことを示す「リモート制御モード」に設定される。この「リモート制御モード」が終了したら、次に、ステップＳ６０８のカメラ処理へと進む。
【００４０】
図７は、図６のフローチャートの中で説明した、カメラ処理（ステップＳ６０８）の内容を詳細に説明するフローチャートである。
図７において、ステップＳ７０１はファインダ出力処理である。このファインダ出力処理は、図３（ａ）で説明したように、ＣＣＤ３０１から取り込まれ、ＹＵＶデジタルデータに変換されたファインダ画像データの表示手段３０５へのローカル表示、およびＭＰＥＧ４フォーマットへ圧縮処理されたビットストリームデータの無線送信を含んでいる。
【００４１】
次に、ステップＳ７０２において、静止画撮影のキャプチャ操作、つまり、シャッターボタン１０３の押下、あるいは表示部２０１から無線通信手段３０９を通じた静止画キャプチャ指示がなされたかどうかを判断する。
【００４２】
この判断の結果、静止画撮影操作の場合には、ステップＳ７０３において、静止画のキャプチャ処理、およびキャプチャされた静止画データを外部メモリ３１０に記録する処理が実行される。静止画キャプチャ処理は図３（ａ）で説明したように、ＣＣＤ３０６から出力された１フレーム分のＲＧＢフレームデータに対して現像処理を行い、生成されたＹＵＶデジタル画像データをＪＰＥＧフォーマットへの圧縮処理を実行するものである。この静止画キャプチャ処理が終了すると、再びステップＳ７０１のファインダ出力処理へ戻る。
【００４３】
ステップＳ７０２の判断の結果、静止画撮影のキャプチャ操作でない場合は、ステップＳ７０４の判断において、動画撮影開始操作、つまり同様にシャッターボタン１０３の押下、あるいは表示部２０１から無線通信手段３０９を通じた動画撮影開始指示がなされたかどうかを判断する。この判断の結果、動画撮影開始操作の場合は、ステップＳ７０５において動画キャプチャ処理およびキャプチャされた動画データを外部メモリ３１０に記録する処理が開始される。
【００４４】
この動画キャプチャ処理は、毎秒３０フレームのフレームレートでＣＣＤ３０１から取り込まれ、ＹＵＶデジタルデータに変換された動画データを画像圧縮手段３０８によってＭＰＥＧ４フォーマットへ圧縮処理されたビデオビットストリームデータと、付属のマイク３１１により取り込まれ、ＣＰＵ３０１によって音声圧縮されたオーディオビットストリームデータを多重化して撮影動画データを作成する処理である。
【００４５】
次に、ステップＳ７０６では、この動画撮影処理を行っている最中に動画撮影停止操作、つまり撮像部１０１に付属のボタンによる停止操作、あるいは表示部２０１から無線通信手段３０９を通じた動画撮影停止指示がなされたかどうかを判断する。
【００４６】
この判断の結果、動画撮影停止操作の場合は、ステップＳ７０７において動画キャプチャ処理およびキャプチャされた動画データを外部メモリ３１０に記録する処理が停止され、これまで撮影したデータが撮影画像ファイルとして外部メモリに残る。
【００４７】
次に、ステップＳ７０８において、電源ＯＦＦの予約がなされているかどうかの判断を行う。電源ＯＦＦ予約とは、動画撮影処理中に表示部２０１から無線通信手段を通じたリモート制御による電源ＯＦＦ指示が行われた場合に、即時電源切断を行うのではなく、撮影処理が終了した時点で電源の切断を行うような動作予約を行うものである。
【００４８】
ここで、電源ＯＦＦ予約が行われている場合には、ステップＳ７１１へ進み、撮像部１０１の電源切断処理を行って処理フローから抜ける。電源ＯＦＦ予約が行われていない場合はステップＳ７０１へ戻り、ファインダ出力処理を再び実行する。
【００４９】
一方、ステップＳ７０６の判断で動画撮影停止操作でない場合は、ステップＳ７０９において、撮像部１０１に付属の電源ボタン１０２の押下により電源ＯＦＦ操作がなされたかどうかの判断を行う。
【００５０】
この判断の結果、電源ボタン押下の場合にはステップＳ７１０において、ステップＳ７０７と同様に動画撮影処理の停止が実行される。続いてステップＳ７１１において、撮像部１０１の電源切断処理を行って処理フローから抜ける。
【００５１】
一方、ステップＳ７０９の判断の結果、撮像部１０１に付属の電源ボタンが押下されなかった場合には、ステップＳ７１２において、無線通信手段を通じたリモート制御によって電源切断がなされたかどうかの判断を行い、リモート制御での切断でない場合には再びステップＳ７０６の判断以降の操作待ち状態を継続する。
【００５２】
一方、ステップＳ７１２の判断の結果、リモート制御による電源切断の場合は、ステップＳ７１３において、即時電源切断は行わず、内部モードとして電源ＯＦＦ予約を設定する処理が行われる。
【００５３】
前述したように、電源ＯＦＦ予約は撮影動作中のリモート制御による電源切断を禁止して、撮影動作終了後に電源の切断を行うような動作予約であり、この動作予約中であればステップＳ７０７での動画撮影停止処理終了直後に電源切断処理を実行するものである。ステップＳ７１３の電源ＯＦＦ予約処理が終了すると再びステップＳ７０６以降の操作待ち状態を継続する。
【００５４】
一方、ステップＳ７０４の判断の結果、動画撮影開始操作でない場合は、ステップＳ７１４において、撮像部１０１に付属の電源ボタン１０２の押下により電源ＯＦＦ操作がなされたかどうかの判断を行い、電源ボタン押下の場合にはステップＳ７１１において、撮像部１０１の電源切断処理を行って処理フローから抜ける。
【００５５】
ステップＳ７１４で撮像部１０１付属の電源ボタンによる電源ＯＦＦ操作でない場合は、ステップＳ７１５において、無線通信手段を通じたリモート制御によって電源切断がなされたかどうかの判断を行い、リモート制御での切断でない場合には再びステップＳ７０２以降の操作待ち状態を継続する。
【００５６】
リモート制御での切断の場合は、ステップＳ７１６において、撮像部１０１が図６のＳステップＳ６０４で設定された「セルフ立上げモード」状態かどうかの判断を行う。この判断の結果、「セルフ立上げモード」の場合にはリモート制御による電源切断が禁止されるモードであるので、電源切断処理は行わず再びステップＳ７０２以降の操作待ち状態を継続する。
【００５７】
また、ステップＳ７１６の判断の結果、「セルフ立上げモード」でない場合、つまり「リモート制御モード」に設定されている場合には、リモート制御による電源切断を受け付けて、ステップＳ７１１の撮像部１０１の電源切断処理を行って処理フローから抜ける。
【００５８】
図８は、表示部２０１における動画、静止画撮影動作全体を表わす処理の詳細のフローチャートである。
図８において、ステップＳ８０１では、表示部２０１に搭載されているアプリケーションの実行が行われている。このアプリケーションは、撮像部１０１を使用したリモートによる撮影アプリケーション以外のアプリケーションである。
【００５９】
ステップＳ８０１で実行されているアプリケーションの終了が行われると、ステップＳ８０２に進み、撮像部１０１のリモート制御での電源立上げのための操作が行われたかどうかの判断を行う。
【００６０】
この判断の結果、電源立上げが操作されている場合は、ステップＳ８０３において、表示部２０１に対して無線通信手段３２９を通じて電源投入コマンドを送信する。送信が終了するとステップＳ８０４において、表示部２０１がコマンドを受け取ったことを示すＯＫコマンドを待つ処理が行われる。
【００６１】
ここで、ＯＫコマンドを受け取ったら撮像部１０１の電源が正常に立ち上がったということで、ステップＳ８０５においてリモート制御による撮影処理を実行する。この電源立上げのための一連の処理は、図５の第１の処理５０１で説明したシーケンスと同様の処理の流れである。ステップＳ８０５の撮影処理には、撮像部１０１から送信されるファインダ出力データを無線通信手段を通じて受信し表示手段３２５へ表示する処理、表示部２０１上の操作ボタン３２４、デジタイザ３２６などを使用して撮像部１０１へ各種カメラ制御コマンドを送信する処理、静止画、動画撮影開始のためのキャプチャ指示のコマンドを送信する処理などを含んでいる。ステップＳ８０５の撮影処理が終了すると再びステップＳ８０１のアプリケーションの実行へ戻る。
【００６２】
ステップＳ８０２においてリモート制御での電源立上げ操作でない場合は、ステップＳ８０６において、リモート制御での電源切断のための操作が行われたかどうかの判断を行い、電源切断が操作されている場合は、ステップＳ８０７において、表示部２０１に対して無線通信手段３２９を通じて電源切断確認コマンドを送信する。
【００６３】
この時点では、表示部２０１は撮像部１０１にコマンドが届いたかどうかの確認ができないので、ステップＳ８０８において表示部２０１がコマンドを受け取ったことを示すＯＫコマンドを待つ処理が行われる。ここで、ＯＫコマンドを受け取ったら、撮像部１０１に対して電源切断のリモート制御を行うことが可能であるということで、ステップＳ８０９において電源切断を指示するコマンドを送信する。
【００６４】
この電源切断のための一連の処理は、図５において、第３の処理５０３として説明した処理と同様のシーケンス処理の流れである。ステップＳ８０９において、電源切断コマンドの送信が終了すると再びステップＳ８０１のアプリケーションの実行へ戻る。
【００６５】
ステップＳ８０６においてリモート制御での電源切断操作でない場合は、ステップＳ８１０において、その他の機能が操作されたかどうかどうかの判断を行い、操作されていない場合は再びステップＳ８０２からの操作待ちのループへ戻る。その他の機能とは、表示部２０１に搭載されているアプリケーション以外の機能であり、例えば無線通信のための設定を含む表示部２０１全体の動作環境の設定などである。ステップＳ８０１でその他の機能の操作がなされた場合は、ステップＳ８１１においてその他の機能の処理を実行し、処理が終了すると再びステップＳ８０２からの操作待ちのループへ戻る。
【００６６】
(第２の実施の形態)
前述した第１の実施の形態では、表示部２０１が電源を切断した直後に撮像部１０１に対して電源ＯＦＦコマンドを送信し、これを受信した撮像部１０１が自分で撮像部１０１の電源切断を自動的に実行することにより、表示部２０１に同期して撮像部１０１の電源の切断を行うような実施形態について説明したが、本発明はこれに限定されるものではない。
【００６７】
第２の実施の形態では、表示部２０１が撮像部１０１の電源状態を常にモニタすることにより撮像部１０１の電源切断を表示部２０１と同期して行い、かつ表示部２０１が撮像部１０１から無線通信の圏外に長時間移動した時にも自動的に撮像部１０１の電源の切断が行えるような実施形態について説明する。
【００６８】
図９は、第２の実施の形態において、表示部２０１から撮像部１０１の電源の投入／切断をリモート制御する場合の無線通信の処理シーケンスの例である。ここで、撮像部１０１の電源のＯＮ状態、ＯＦＦ状態はそれぞれ図５で説明したものと同様な状態である。同じく表示部２０１の電源ＯＮ状態も、すべてのデバイスがアクティブでありアプリケーションの実行が可能な状態を指す。また、電源ＯＦＦ状態とは、通信コマンドの受け取りおよびコマンドに対するステータスの返送のみ実行可能で、それ以外のデバイスはすべてスリープ状態、つまり電力消費を必要最小限にした無線待ち受け状態を指す。
【００６９】
図９において、９０１は表示部２０１から撮像部１０１の電源投入をリモートで行う第１のシーケンス処理、９０２はアプリケーション実行を行う場合の第２のシーケンス処理、９０３は無線通信によるリモート制御で撮像部１０１の電源切断を行う第３のシーケンス処理を表わしている。
【００７０】
まず初期状態として、撮像部１０１はＯＦＦ（無線待ち受け）状態、表示部２０１はＯＮ（アクティブ）状態である。ここで、ポイントＰ９０４では表示部２０１より撮像部１０１に対して電源投入を指示するコマンドを転送する。
【００７１】
コマンドを受け取った撮像部１０１はＯＮ（アクティブ）状態に遷移し、コマンドを受け取ったことの確認のために、ポイントＰ９０５においてＯＫを示すコマンドを表示部２０１に返す。表示部２０１はＯＫコマンドを受けて撮影処理９０２へ遷移する。ここまでのシーケンスは図５、ポイントＰ５０４、ポイントＰ５０５と同様の処理である。また、第２のシーケンス処理９０２も図５の第２のシーケンス処理５０２と同じである。
【００７２】
第３のシーケンス処理９０３において、撮像部１０１の電源をＯＦＦする場合は、まずポイントＰ９０６において撮像部１０１より表示部２０１に対して、表示部２０１の電源状態を問い合わせるコマンドを転送する。
【００７３】
このコマンドを受け取った表示部２０１は、表示部２０１の電源がＯＮ状態の場合にはＯＮを通知するコマンドを撮像部１０１に対して送信し（ポイントＰ９０７）、表示部２０１の電源がＯＦＦ状態の場合にはＯＦＦを通知するコマンドを撮像部１０１に送信する（ポイントＰ９０８）。この返信コマンドによって撮像部１０１は自身の電源の切断制御を行う。
【００７４】
以下、静止画、動画撮影処理において、本発明第２の実施の形態による撮像部１０１の処理の詳細を説明する。撮像部１０１における撮影動作全体を表わす処理の詳細のフローチャートは、第１の実施の形態図６で説明した処理フローと同様の処理である。また、表示部２０１における処理は図９のシーケンス図で示したとおりである。
【００７５】
図１０は、図６のフローチャートの中で説明した、カメラ処理（ステップＳ６０８）において、第２の実施の形態での処理の内容を詳細に説明するフローチャートである。
図１０において、まず、タイマー３１２の初期化処理としてタイムアップさせる時間に対応する初期値をセットする処理を実行する。ここではまだタイマーはスタートさせない。
【００７６】
その後のステップＳ１００１のファインダ出力処理、ステップＳ１００２の静止画撮影のキャプチャ操作の判断処理、ステップＳ１００３の静止画のキャプチャ処理は、第１の実施の形態で説明した、図７におけるステップＳ７０１、ステップＳ７０２、ステップＳ７０３と同様の処理である。この静止画キャプチャ処理が終了すると、再びステップＳ１００１のファインダ出力処理へ戻る。
【００７７】
ステップＳ１００２の判断の結果、静止画撮影のキャプチャ操作でない場合は、ステップＳ１００４において、動画撮影開始操作、つまり同様にシャッターボタン１０３の押下、あるいは表示部２０１から無線通信手段３０９を通じた動画撮影開始指示がなされたかどうかを判断する。
【００７８】
この判断の結果、動画撮影開始操作の場合は、ステップＳ１００５において動画キャプチャ処理およびキャプチャされた動画データを外部メモリ３１０に記録する処理が開始される。この動画キャプチャ処理は、図７のステップＳ７０５で説明したのと同様に、毎秒３０フレームのフレームレートでＣＣＤ３０１から取り込まれ、ＹＵＶデジタルデータに変換された動画データを画像圧縮手段３０８によってＭＰＥＧ４フォーマットへ圧縮処理されたビデオビットストリームデータと、付属のマイク３１１により取り込まれ、ＣＰＵ３０１によって音声圧縮されたオーディオビットストリームデータを多重化して撮影動画データを作成する処理である。
【００７９】
次に、ステップＳ１００６では、この動画撮影処理を行っている最中に動画撮影停止操作、つまり撮像部１０１に付属のボタンによる停止操作、あるいは表示部２０１から無線通信手段３０９を通じた動画撮影停止指示がなされたかどうかを判断する。
【００８０】
この判断の結果、動画撮影停止操作の場合は、ステップＳ１００７において動画キャプチャ処理およびキャプチャされた動画データを外部メモリ３１０に記録する処理が停止され、これまで撮影したデータが撮影画像ファイルとして外部メモリに残る。その後、ステップＳ１００１へ戻り、ファインダ出力処理を再び実行する。
【００８１】
一方、ステップＳ１００６の判断の結果、動画撮影停止操作でない場合は、ステップＳ１００８において、撮像部１０１に付属の電源ボタン１０２の押下により電源ＯＦＦ操作がなされたかどうかの判断を行う。
【００８２】
この判断の結果、電源ボタン押下の場合にはステップＳ１００９において、ステップＳ１００７と同様に動画撮影処理の停止が実行される。続いて、ステップＳ１０１０において、撮像部１０１の電源切断処理を行って処理フローから抜ける。ステップＳ１００８において、撮像部１０１に付属の電源ボタンが押下されなかった場合には、再びステップＳ１００６以降の操作待ち状態を継続する。
【００８３】
また、ステップＳ１００４の判断の結果、動画撮影開始操作でない場合は、ステップＳ１０１１において、撮像部１０１に付属の電源ボタン１０２の押下により電源ＯＦＦ操作がなされたかどうかの判断を行う。この判断の結果、電源ボタン押下の場合にはステップＳ１０１０において、撮像部１０１の電源切断処理を行って処理フローから抜ける。
【００８４】
一方、ステップＳ１０１１の判断の結果、撮像部１０１付属の電源ボタンによる電源ＯＦＦ操作でない場合は、ステップＳ１０１２において、タイマー３１２がタイムアップしているかどうかの判断を行う。この判断の結果、タイムアップしている場合は、ステップＳ１０１０の撮像部１０１の電源切断処理を行って処理フローから抜ける。タイマー３１２はタイマーカウント値がゼロ、つまりタイムアップするとＣＰＵ３０１に割り込みがかかり、ＣＰＵはこの割り込みを受けてタイムアップフラグをＯＮにする。タイムアップしているかどうかの判断は、このフラグをチェックすることにより実行される。
【００８５】
また、ステップＳ１０１２の判断の結果、タイマーがタイムアップしていない場合は、ステップＳ１０１３において、表示部２０１の電源がＯＮかＯＦＦかを問い合わせる処理が実行される。この処理は図９の第３のシーケンス処理９０３で説明したシーケンスで行われ、表示部２０１の電源がＯＮの場合はＯＮ通知コマンドを返信し、ＯＦＦの場合はＯＦＦ通知コマンドが返信される。
【００８６】
ここで、ステップＳ１０１４の判断の結果、ＯＦＦが通知された場合は、ステップＳ１０１５において、撮像部１０１が図６のＳ６０４で設定された「セルフ立上げモード」状態かどうかの判断を行う。
【００８７】
この判断の結果、「セルフ立上げモード」の場合にはリモート制御による電源切断が禁止されるモードであるので、電源切断処理は行わず再びステップＳ１００２以降の操作待ち状態を継続する。また、「セルフ立上げモード」でない場合、つまり「リモート制御モード」に設定されている場合には、リモート制御による電源切断を受け付けて、ステップＳ１０１０の撮像部１０１の電源切断処理を行って処理フローから抜ける。
【００８８】
また、ステップＳ１０１４の判断の結果、ＯＦＦが通知されなかった場合は、ステップＳ１０１６でＯＮが通知されたかどうかの判断を行う。この判断の結果、ＯＮが通知された場合はステップＳ１０１７において、タイマー３１２を停止する処理を行い、タイマーカウントをやめる。その後再びステップＳ１００２以降の操作待ち状態を継続する。
【００８９】
ステップＳ１０１６の判断の結果、ＯＮが通知されなかった場合は、撮像部１０１と表示部２０１が正常に無線通信を行うことができていない、つまり、表示部２０１が撮像部１０１から見て圏外に位置しているとみなして、ステップＳ１０１８において、タイマー３１２の初期化とタイマーカウントの開始を実行して、ステップＳ１００２以降の操作待ち状態を継続する。このステップＳ１０１３からステップＳ１０１８までの一連の処理は、撮像部１０１と表示部２０１が一定時間通信不能になった場合、例えば一時的に圏外に移動した場合において、自動的に撮像部１０１の電源を切断するような制御を実現するものである。
【００９０】
(第３の実施の形態)
前述した第１、第２の実施の形態では、撮像部１０１と表示部２０１はそれぞれ独立した装置として、装置間で無線通信を行うことで、静止画、動画の撮影アプリケーションを実現していたが、本発明はこれに限定されるものではない。
【００９１】
この第３の実施の形態では、同様に撮像部と表示部とを分離した状態で撮影アプリケーションを実行する場合に加えて、これら撮像部１０１と表示部を一体化することが可能な構造とし、それぞれの装置間でのデータの伝達は物理的に接続されている有線手段によって行えるシステムの実施形態について説明する。
【００９２】
図１１は、第３の実施の形態における無線通信カメラの外観を表わす図である。
図１１において、（ａ）は撮像部１１０１と表示部１１０７を分離した状態、（ｂ）は撮像部１１０１と表示部１１０７を接続して一体化した状態を表わしている。この撮像部１１０１にはレンズ１１０２、電源ボタン１１０３、無線通信用アンテナ１１０４、表示部１１０７との接続コネクタ１１０５、電子ビューファインダ（ＥＶＦ）１１０６が備えられている。また、図１１に示したように、表示部１１０７には電源ボタン１１０８、無線通信用アンテナ１１０９、撮像部１１０１との接続コネクタ１１１０が備えられている。
【００９３】
撮像部１１０１と表示部１１０７との接続はそれぞれの接続コネクタ１１０５、１１１０を接合することで行われる。これにより、接続コネクタの各端子を通じて信号の伝達が行えるので、撮像部１１０１と表示部１１０７との間でのデータのやり取りが可能となる。
【００９４】
したがって、図１１（ｂ）で示すように撮像部１１０１と表示部１１０７とを分離して使用する場合には、それぞれの無線通信手段を使用してデータの伝送を行い、図１１（ａ）で示すように、撮像部１１０１と表示部１１０７とを一体化して使用する場合には、前述の接続コネクタを通じてデータの伝送を行う。
【００９５】
図１２は、第３の実施の形態において、撮像部１１０１と表示部１１０７を一体として使用した場合の、撮像部１１０１での静止画、動画撮影動作全体の処理の詳細を説明する。
図１２において、ステップＳ１２０１、ステップＳ１２０３では撮像部１１０１の電源立上げが行われたかどうかのチェックを行っている。
【００９６】
撮像部１１０１と表示部１１０７とが一体となっている場合の電源立上げの方法は二通りある。ひとつは撮像部１１０１の電源ボタン１１０３を押下する場合であり、この場合は撮像部１１０１の電源が直接立ち上がる。もうひとつは表示部１１０７の電源ボタン１１０８を押下する場合であり、この場合は表示部１１０７から電源立上げの信号を受け取ることにより撮像部１１０１の電源が立ち上がる。何れの場合も、どちらか一方の電源ボタンしか押下しなくても、撮像部１１０１及び表示部１１０７両方の電源が立ち上がる仕組みとなっている。
【００９７】
ステップＳ１２０１の判断では、撮像部１１０１の電源ボタン１１０３が押下されたかどうかのチェックを行い、押下された場合にはステップＳ１２０２において、表示部１１０７の電源を立上げるために、接続コネクタ１１０５、１１１０で伝達される信号を通じて表示部１１０７に電源立上げの通知を行う。表示部１１０７はこの通知を受け取ると表示部１１０７の電源の立上げを行う。
【００９８】
一方、ステップＳ１２０１で撮像部１１０１の電源ボタンの押下でない場合は、ステップＳ１２０３において、表示部１１０７から電源立上げの通知があったかどうか、つまり表示部１１０７の電源ボタン１１０８が押下されたかどうかのチェックを行い、表示部１１０７からの通知があった場合はステップＳ１２０４へ進み、なかった場合は再びＳ１２０１へ戻り電源立上げのチェックを繰り返す。
【００９９】
ステップＳ１２０４では、撮像部１１０１の電源立上げ処理が実行され通常動作が可能となる。次に、ステップＳ１２０５において、撮像部１１０１の動作モードとして、図６で説明した「セルフ立上げモード」に設定される。この「セルフ立上げモード」は第１の実施の形態で示したように、表示部１１０７からの無線通信手段を用いたリモートでの電源立上げ操作を禁止するものである。
【０１００】
それから、ステップＳ１２０６において、動画、静止画撮影処理を含むカメラ処理へ進む。カメラ処理の詳細については、第１の実施の形態における図７のフローチャートで説明した処理と同様である。このカメラ処理Ｓ１２０６が終了、つまり撮像部１１０１の電源がＯＦＦされた場合には、ステップＳ１２０１の電源立上げチェック処理に再び戻る。
【０１０１】
以上のように、図１２で説明した処理フローを行うことにより、撮像部１１０１と表示部１１０７とが一体となった状態で電源の立上げが行われると、「セルフ立上げモード」に設定されるため、その後電源のＯＮを保った状態で撮像部１１０１と表示部１１０７を分離して使用した場合でも、表示部１１０７からのリモートによる電源立上げができないようになる。
【０１０２】
また、第３の実施の形態において、撮像部１１０１と表示部１１０７とを分離した状態で電源の立上げを行った場合は、第１の実施の形態の図６、図７、図８で説明したフローチャートと同様の動作が行われる。さらに、分離状態でどちらか一方のみの電源を立上げて使用している状態のまま接続コネクタによる接続を行うと、立ち上がっていない方の装置の電源を自動的に立上げる処理を行うことも可能である。
【０１０３】
これは、図１２のフローチャートにおけるステップＳ１２０２で説明した方法と同様に、立ち上がっている装置から立ち上がっていない装置に対して、接続コネクタ１１０５、１１１０で伝達される信号を通じて電源立上げの通知を行うことにより実現することができる。
【０１０４】
（本発明に係る他の実施の形態）
上述した本発明の実施の形態における撮像装置を構成する各手段、並びに撮像装置の電源制御方法の各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【０１０５】
また、本発明は、例えば、システム、装置、方法、プログラムもしくは記録媒体等としての実施の形態も可能であり、具体的には、複数の機器から構成されるシステムに適用しても良いし、また、一つの機器からなる装置に適用しても良い。
【０１０６】
なお、本発明は、前述した実施の形態の機能を実現するソフトウェアのプログラム（実施の形態では、図６，７，８、１０、１２に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【０１０７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１０８】
その場合、プログラムの機能を有していれば、オブジェクトコード、インタプリター（interpreter）により実行されるプログラム、ＯＳに供給するスクリプトデータ等の形態であっても良い。
【０１０９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１１０】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【０１１１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１３】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【０１１４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【０１１５】
前記説明によれば、表示部からのリモート操作で撮像部の電源を立上げた場合には、撮像部の電源切断に同期して撮像部の電源を自動的に切断し、また、撮像部に付属の電源スイッチを直接操作して撮像部の電源を立上げた場合には、表示部からのリモート制御による電源操作を拒否するようにしたので、表示部を使用していないときには撮像部の電源を自動的に切断することができ、電力が無駄に消費されるのを防止することができる。これにより、三脚などに固定して撮影するなどして撮像部が手元にない場合も、意識することなく簡単に撮像部の節電を行うことができる。さらに、撮像部を手にもって撮影操作を行っている場合でも、リモートで電源を誤って切断されるような誤動作を防止することができる。
【０１１６】
また、表示部からのリモート操作で撮像部の電源を立上げた場合において、表示部から撮像部へ電源切断の指示を行った際に、撮像部が撮影動作中であった場合は、撮影動作の終了を待って撮像部の電源を切断するようにしたので、動画の撮影動作中に電源が誤って切断されてしまうことを防止することができる。また、撮影動作が終了した後に電源切断が行われようにしたので、撮像部の節電を行うことができる。
【０１１７】
また、表示部からのリモート操作で撮像部の電源を立上げた場合においては、表示部が撮像部との無線通信領域の圏外に移動したことを検知した場合は、一定時間以上通信圏内に戻ってこなかったら、撮像部の電源を切断するようにしたので、実質的に撮像部を使用することがない場合には、表示部からの電源切断指示がなくても撮像部の電源切断がおこなわれるようにすることができ、撮像部の節電を実現することができる。
【０１１８】
また、撮像部と表示部とを接続して一体としても使用可能な構成において、一体接続状態で電源を立上げ、その後両者を分離して使用する場合には、表示部からのリモートでの電源操作を受け付けなくするようにしたので、撮像部を手にもって撮影操作を行っている場合に、誤ってリモートで電源を切断されるような誤動作を防止することができる。
【０１１９】
また、撮像部と表示部とを分離して使用している場合において、どちらかひとつの電源のみが入っている状態で、一体化すると、もう一方の電源を自動的に投入するようにしたので、電源ボタンをオンにする操作を省略することができ、操作性を向上することができる。
【図面の簡単な説明】
【０１２０】
【図１】本発明の第１の実施の形態を示し、撮像部の外観表す図である。
【図２】本発明の第１の実施の形態を示し、表示部の外観表す図である。
【図３】本発明の第１の実施の形態を示し、撮像部と表示部の内部構成を表す図である。
【図４】本発明の第１の実施の形態を示し、無線通信を使用したデータのやり取りを表す図である。
【図５】本発明の第１の実施の形態を示し、無線通信の処理シーケンスを表す図である。
【図６】本発明の第１の実施の形態を示し、撮像部における動画、静止画撮影動作全体を表わす処理手順の一例を説明するフローチャートである。
【図７】本発明の第１の実施の形態を示し、カメラ処理の内容を表わすフローチャートである。
【図８】本発明の第１の実施の形態を示し、表示部における動画、静止画撮影動作全体を表わす処理手順の一例を説明するフローチャートである。
【図９】本発明の第２の実施の形態を示し、無線通信の処理シーケンスを表す図である。
【図１０】本発明の第２の実施の形態を示し、カメラ処理の内容を表わすフローチャートである。
【図１１】本発明の第３の実施の形態を示し、撮像部、表示部の外観を表す図である。
【図１２】本発明の第３の実施の形態を示し、撮像部における動画、静止画撮影動作全体を表わす処理手順の一例を説明するフローチャートである。
【符号の説明】
【０１２１】
１０１  撮像部
１０１ａ  撮像部の筐体
１０２  撮像部の電源ボタン
１０３  撮像部のシャッターボタン
１０４  撮像部のレンズ
１０５  撮像部の光学ファインダ
１０６  撮像部のストロボ
１０７  撮像部の無線通信用アンテナ
２０１  表示部
２０１ａ  表示部の筐体
２０２  表示部の電源ボタン
２０３  表示部の無線通信用アンテナ
２０４  表示部の液晶表示装置
２０５  表示部のシャッターボタン
２０６  表示部のズームボタン
２０７  表示部の操作ボタン
２０８  表示部の操作ボタン
２０９  表示部の外部メモリスロット
【図１】
2006325145.tif 000003
【図２】
2006325145.tif 000004
【図３】
2006325145.tif 000005
【図４】
2006325145.tif 000006
【図５】
2006325145.tif 000007
【図６】
2006325145.tif 000008
【図７】
2006325145.tif 000009
【図８】
2006325145.tif 000010
【図９】
2006325145.tif 000011
【図１０】
2006325145.tif 000012
【図１１】
2006325145.tif 000013
【図１２】
2006325145.tif 000014